(57)【要約】【課題】微細構造を有する透光性構造体及びそのランプを提供する。【解決手段】本発明の微細構造を有する透光性構造体及びそのランプは、透光性構造体がランプ分野及び透光パネル分野に応用される。前記透光性構造体は光入射面と、第１光出射面と、第２光出射面と、複数の微細構造とを少なくとも備える。前記第１光出射面及び前記第２光出射面は前記光入射面の両側にそれぞれ位置され、これら前記微細構造は前記第２光出射面に位置されるか設置される。これにより、これら前記微細構造が光入射面からの複数の光線を受光させると共に屈折させ、前記第１光出射面から屈折される光線の光束を前記第２光出射面から屈折される光線の他の光束より多くする。【選択図】図１Ｅ
2019040865.tif 000002
【特許請求の範囲】
【請求項１】
複数の光線を受光するために用いられる微細構造を有する透光性構造体であって、前記透光性構造体は、
第１光出射面と、
前記第１光出射面に対応するように設置される第２光出射面と、
前記第２光出射面に設置される複数の微細構造であって、各微細構造は第１構造屈折面及び第２構造屈折面を少なくとも含むこととを少なくとも備え、
これら前記光線の光の進行方向とこれら前記微細構造との間は垂直干渉関係または非平行干渉関係を呈し、且つ各前記第１構造屈折面により受光されると共に屈折された後の光束（ｌｕｍｉｎｏｕｓ  ｆｌｕｘ）が各前記第２構造屈折面により受光されると共に屈折された後の他の光束よりも多くなることを特徴とする微細構造を有する透光性構造体。
【請求項２】
前記垂直干渉関係はこれら前記微細構造がこれら前記光線を完全にまたは部分的に垂直に受光させると共に屈折させ、前記非平行干渉関係はこれら前記微細構造がこれら前記光線を完全にまたは部分的に非平行に受光させると共に屈折させることを特徴とする請求項１に記載の微細構造を有する透光性構造体。
【請求項３】
これら前記微細構造はＶ字状光学屈折構造、Ｕ字状光学屈折構造、及び曲面光学屈折構造の内の何れか１つまたはそれらの組み合わせであることを特徴とする請求項１に記載の微細構造を有する透光性構造体。
【請求項４】
これら前記微細構造中の少なくとも１組の隣接する２つの微細構造間の間隔はこれら前記微細構造中の少なくとも他の１組の隣接する２つの微細構造間の間隔とは異なることを特徴とする請求項１に記載の微細構造を有する透光性構造体。
【請求項５】
これら前記微細構造中の任意の２つの隣接する前記微細構造間の間隔はこれら前記光線の光源から離れる方向に沿って徐々に狭まるまたは徐々に広がることを特徴とする請求項１に記載の微細構造を有する透光性構造体。
【請求項６】
各前記微細構造と前記第２光出射面との間の深さはこれら前記光線の光源から離れる方向に沿って徐々に浅くなるまたは徐々に深くなることを特徴とする請求項１に記載の微細構造を有する透光性構造体。
【請求項７】
各前記微細構造中の前記第１構造屈折面と前記第２光出射面との間の鋭角の挟角は前記第２構造屈折面と前記第２光出射面との間の鋭角の挟角より小さいことを特徴とする請求項１に記載の微細構造を有する透光性構造体。
【請求項８】
各前記微細構造とこれと隣接する他の前記微細構造との間は連続的に連接、非連続的に連接、または部分的に連続的に連接される配列設置方式を呈することを特徴とする請求項１に記載の微細構造を有する透光性構造体。
【請求項９】
これら前記光線が未受光の場合、前記透光性構造体は視覚的透過状態となり、これら前記微細構造がこれら前記光線を受光させると共に屈折させた場合、前記透光性構造体が光出射状態となることを特徴とする請求項１に記載の微細構造を有する透光性構造体。
【請求項１０】
前記視覚的透過状態とは前記第１光出射面の箇所から前記第２光出射面の箇所にある少なくとも１つの物件を視覚的に透視可能な状態を指し、前記光出射状態とは前記透光性構造体がこれら前記光線を受光させると共に屈折させた後、前記第１光出射面から出射される光束が前記第２光出射面から出射される他の光束よりも多くなる状態を指すことを特徴とする請求項９に記載の微細構造を有する透光性構造体。
【請求項１１】
その材質はポリカーボネート（Ｐｏｌｙｃａｒｂｏｎａｔｅ、  ＰＣプラスチック）、アクリロニトリル−ブタジエン−スチレン共重合体（Ａｃｒｙｌｏｎｉｔｒｉｌｅ  Ｂｕｔａｄｉｅｎｅ  Ｓｔｙｒｅｎｅ、  ＡＢＳ樹脂）または／及びそれらの結合であることを特徴とする請求項１に記載の微細構造を有する透光性構造体。
【請求項１２】
円形透光性構造体、方形透光性構造体、多辺形透光性構造体、または不規則形状の透光性構造体であることを特徴とする請求項１に記載の微細構造を有する透光性構造体。
【請求項１３】
ランプ分野、照明分野、ドア及び窓パネル、または展示フレームに応用されることを特徴とする請求項１に記載の微細構造を有する透光性構造体。
【請求項１４】
ランプの少なくとも１つの発光素子の複数の光線を受光させる微細構造を有する透光性構造体であって、前記透光性構造体は、
第１光出射面と、
前記第１光出射面との間に光の通路を有すると共に対応するように設置される第２光出射面と、
前記２面の光出射面に設置される複数の微細構造とを少なくとも備え、
これら前記微細構造がこれら前記光線を未受光の場合、前記透光性構造体は視覚的透過状態となり、これら前記微細構造がこれら前記光線を受光させると共に屈折させた場合、前記透光性構造体が光出射状態となり、且つ前記第１光出射面から屈折されて出射される光線の光束（ｌｕｍｉｎｏｕｓ  ｆｌｕｘ）は前記第２光出射面から屈折されて出射される光線の他の光束より多いことを特徴とする微細構造を有する透光性構造体。
【請求項１５】
前記視覚的透過状態は前記第２光出射面の箇所にある物件が視覚的に透過可能な状態であり、前記光出射状態はこれら前記微細構造がこれら前記光線を受光させると共に屈折させた後、前記第１光出射面から出射される光束が前記第２光出射面から出射される他の光束より多くなる状態であることを特徴とする請求項１４に記載の微細構造を有する透光性構造体。
【請求項１６】
中空の透光性構造体であり、前記第１光出射面及び前記第２光出射面は第１透光板体及び第２透光板体にそれぞれ位置され、前記中空の透光性構造体中の前記第２光出射面は第２光出射内表面及び第２光出射外表面を含み、前記第２光出射内表面は前記第２光出射外表面よりも前記第１光出射面に更に近接し、これら前記微細構造は前記第２光出射外表面に設置されることを特徴とする請求項１４に記載の微細構造を有する透光性構造体。
【請求項１７】
前記光の通路は隙間であり、これら前記光線を進行させるように前記第２光出射内表面と前記第１光出射面との間に位置されることを特徴とする請求項１６に記載の微細構造を有する透光性構造体。
【請求項１８】
これら前記微細構造中の少なくとも１組の隣接する２つの微細構造間の間隔はこれら前記微細構造中の少なくとも他の１組の隣接する２つの微細構造間の間隔とは異なるか、或いは、
これら前記微細構造中の任意の２つの隣接する前記微細構造間の間隔がこれら前記光線の光源から離れる方向に沿って徐々に狭まるまたは徐々に広がるか、または、
各前記微細構造と前記第２光出射外表面との間の深さがこれら前記光線の光源から離れる方向に沿って徐々に浅くなるまたは徐々に深くなることを特徴とする請求項１６に記載の微細構造を有する透光性構造体。
【請求項１９】
各前記微細構造は第１構造屈折面及び第２構造屈折面を含み、前記第１構造屈折面と前記第２光出射外表面との間の鋭角の挟角は前記第２構造屈折面と前記第２光出射外表面との間の鋭角の挟角より小さいことを特徴とする請求項１６に記載の微細構造を有する透光性構造体。
【請求項２０】
これら前記微細構造がこれら前記光線を受光させると共に屈折させ、部分的なこれら前記光線が前記第２光出射面に平均的に分布され、且つ外に向けて平均的に放射されることを特徴とする請求項１４に記載の微細構造を有する透光性構造体。
【請求項２１】
ランプの少なくとも１つの発光素子の複数の光線を受光させる微細構造を有する透光性構造体であって、前記透光性構造体は、
これら前記光線を受光させるための光入射面と、
前記光入射面の一側辺に位置される第１光出射面と、
前記光入射面の他側辺に位置され、且つ前記第１光出射面に対応するように設置される第２光出射面と、
前記第２光出射面に設置される複数の微細構造とを少なくとも備え、
これら前記微細構造はこれら前記光線を受光させると共に屈折させてこれら前記光線を前記第１光出射面及び前記第２光出射面からそれぞれ出射させるために用いられ、前記第１光出射面から屈折されて出射される光線の光束（ｌｕｍｉｎｏｕｓ  ｆｌｕｘ）は前記第２光出射面から屈折されて出射される光線の他の光束より多いことを特徴とする微細構造を有する透光性構造体。
【請求項２２】
前記光入射面及び前記第２光出射面は垂直であり、これら前記微細構造がこれら前記光線を部分的に垂直に受光させると共に屈折させ、または前記光入射面及び前記第２光出射面は非平行であり、これら前記微細構造がこれら前記光線を部分的に非平行に受光させると共に屈折させることを特徴とする請求項２１に記載の微細構造を有する透光性構造体。
【請求項２３】
これら前記微細構造中の任意の２つの隣接する前記微細構造間の間隔が前記光入射面から離れる方向に沿って徐々に狭まるまたは徐々に広がるか、或いは、
各前記微細構造と前記第２光出射面との間の深さが前記光入射面から離れる方向に沿って徐々に浅くなるまたは徐々に深くなるか、或いは、
各前記微細構造が第１構造屈折面及び第２構造屈折面を備え、前記第１構造屈折面と前記第２光出射面との間の鋭角の挟角が前記第２構造屈折面と前記第２光出射面との間の鋭角の挟角より小さいことを特徴とする請求項２１に記載の微細構造を有する透光性構造体。
【請求項２４】
ランプの少なくとも１つの発光素子の複数の光線を受光させる微細構造を有する透光性構造体であって、前記透光性構造体は、
これら前記光線を受光させるための光入射面と、
第１光出射面と、
前記第１光出射面との間に隙間を空けて対応するように設置され、且つ前記光入射面との間が垂直設置関係または非平行設置関係を呈する複数の微細構造を有する第２光出射面とを少なくとも備え、
これら前記微細構造は前記第１光出射面から屈折されて出射される光線の光束（ｌｕｍｉｎｏｕｓ  ｆｌｕｘ）を前記第２光出射面から屈折されて出射される光線の他の光束より多くするために用いられることを特徴とする微細構造を有する透光性構造体。
【請求項２５】
前記垂直設置関係は前記第２光出射面が前記光入射面の一側辺に垂直に隣接し、または前記非平行設置関係は前記第２光出射面が前記光入射面の一側辺に隣接し、且つ非垂直角度を有することを特徴とする請求項２４に記載の微細構造を有する透光性構造体。
【請求項２６】
これら前記微細構造中の任意の２つの隣接する前記微細構造間の間隔は前記光入射面から離れる方向に沿って徐々に狭まるまたは徐々に広がることを特徴とする請求項２４に記載の微細構造を有する透光性構造体。
【請求項２７】
前記第２光出射面は第２光出射内表面及び第２光出射外表面を含み、前記第２光出射内表面は前記第１光出射面に対応させ、これら前記微細構造は前記第２光出射外表面に設置され、前記隙間はこれら前記光線を進行させるように前記第２光出射内表面と前記第１光出射面との間に位置されることを特徴とする請求項２４に記載の微細構造を有する透光性構造体。
【請求項２８】
ランプ本体と、
前記ランプ本体に設置され、且つ制御回路基板に応じて複数の光線を発生させる少なくとも１つの発光素子と、
前記ランプ本体に結合される透光性構造体とを少なくとも備え、
前記透光性構造体は、
これら前記光線を受光させるための光入射面と、
前記光入射面の一側辺に位置される第１光出射面と、
前記光入射面の他側辺に位置され、且つ前記第一出表面に対応させる第２光出射面と、
前記第二出表面に設置される複数の微細構造とを少なくとも含み、
これら前記微細構造中の少なくとも１つの微細構造の設置方式はこれら前記微細構造中の少なくとも他の微細構造の設置方式とは相違し、これら前記微細構造により受光されると共に屈折されるこれら前記光線が前記第１光出射面から屈折されて出射されると光線の光束（ｌｕｍｉｎｏｕｓ  ｆｌｕｘ）が前記第２光出射面から屈折されて出射される光線の他の光束より多くなることを特徴とする透光性構造体を有するランプ。
【請求項２９】
これら前記微細構造はＶ字状光学屈折構造、Ｕ字状光学屈折構造、及び曲面光学屈折構造の内の何れか１つまたは／及びそれらの組み合わせであることを特徴とする請求項２８に記載の透光性構造体を有するランプ。
【請求項３０】
前記設置方式はこれら前記微細構造中の何れか２つの隣接する前記微細構造間の間隔が前記少なくとも１つの発光素子から離れる位置方向に沿って徐々に狭まるまたは徐々に広がることを特徴とする請求項２８に記載の透光性構造体を有するランプ。
【請求項３１】
前記設置方式は各前記微細構造と前記第２光出射面との間の深さが前記少なくとも１つの発光素子から離れる位置方向に沿って徐々に浅くなるまたは徐々に深くなることを特徴とする請求項２８に記載の透光性構造体を有するランプ。
【請求項３２】
前記設置方式は各前記微細構造が第１構造屈折面及び第２構造屈折面を含み、前記第１構造屈折面と前記第２光出射面との間の鋭角の挟角は前記第２構造屈折面と前記第２光出射面との間の鋭角の挟角より小さいことを特徴とする請求項２８に記載の透光性構造体を有するランプ。
【請求項３３】
前記設置方式は各前記微細構造とこれと隣接する他の前記微細構造との間が連続的に連接、非連続的に連接、または部分的に連続的に連接される配列設置方式を呈することを特徴とする請求項２８に記載の透光性構造体を有するランプ。
【請求項３４】
前記ランプ本体はガイド溝を有する結合構造を備え、前記透光性構造体は前記ガイド溝により前記少なくとも１つの発光素子と組み立てられると共に連通されることを特徴とする請求項２８に記載の透光性構造体を有するランプ。
【請求項３５】
前記結合構造は複数の放熱フィンを有し、且つこれら前記放熱フィン及び前記第２光出射面は同側に位置されることを特徴とする請求項２８に記載の透光性構造体を有するランプ。
【請求項３６】
受動型赤外線人体センサー（ＰＩＲ  Ｍｏｔｉｏｎ  ｓｅｎｓｏｒ）及びマイクロ波（Ｍｉｃｒｏｗａｖｅ）センサーの内の何れか１つを更に含み、前記制御回路基板に電気的に接続され、前記受動型赤外線人体センサーまたは前記マイクロ波センサーは、物件を感知させた際に前記制御回路基板を駆動させて前記少なくとも１つの発光素子がこれら前記光線を発生させるように制御を行うことを特徴とする請求項２８または３５に記載の透光性構造体を有するランプ。
【請求項３７】
複数の光線を受光させるための微細構造を有する透光性構造体であって、前記透光性構造体は、
第１光出射面と、
前記第１光出射面に対応するように設置される第２光出射面と、
前記第２光出射面に設置される複数の微細構造であって、各微細構造は、第１構造屈折面及び第２構造屈折面を含むこととを少なくとも備え、
これら前記光線の光の進行方向とこれら前記微細構造との間は垂直干渉関係または非平行干渉関係を呈し、これら前記光線が前記第１光出射面及び前記第２光出射面からそれぞれ屈折されて出射されることを特徴とする微細構造を有する透光性構造体。
【請求項３８】
ランプの少なくとも１つの発光素子の複数の光線を受光させる微細構造を有する透光性構造体であって、前記透光性構造体は、
第１光出射面と、
前記第１光出射面との間に光の通路を有すると共に対応するように設置される第２光出射面と、
前記２面の光出射面に設置される複数の微細構造とを少なくとも備え、
これら前記微細構造がこれら前記光線を未受光の場合、前記透光性構造体が視覚的透過状態となり、これら前記微細構造が受光させると共に前記第１光出射面及び前記第２光出射面からこれら前記光線をそれぞれ屈折させると、前記透光性構造体が光出射状態となることを特徴とする微細構造を有する透光性構造体。
【請求項３９】
ランプの少なくとも１つの発光素子の複数の光線を受光させる微細構造を有する透光性構造体であって、前記透光性構造体は、
これら前記光線を受光させるための光入射面と、
第１光出射面と、
前記第１光出射面との間に隙間を空けると共に対応するように設置され、且つ前記光入射面との間は垂直設置関係または非平行設置関係を呈する複数の微細構造を有する第２光出射面とを少なくとも備えることを特徴とする微細構造を有する透光性構造体。
【請求項４０】
ランプ本体と、
前記ランプ本体に設置され、且つ制御回路基板に応じて複数の光線を発生させる少なくとも１つの発光素子と、
前記ランプ本体に結合される透光性構造体であって、前記少なくとも１つの発光素子は前記透光性構造体の周囲に隣接する箇所に設置されることとを少なくとも備え、
前記透光性構造体は、
これら前記光線を受光させるための光入射面と、
前記光入射面の一側辺に位置される第１光出射面と、
前記光入射面の他側辺に位置され、且つ前記第１光出射面に対応させる第２光出射面と、
前記第二出表面に設置される複数の微細構造とを少なくとも含み、
これら前記微細構造中の少なくとも１つの微細構造の設置方式はこれら前記微細構造中の少なくとも他の微細構造の設置方式とは相違し、これら前記微細構造により受光されると共に屈折されるこれら前記光線が前記第１光出射面及び前記第２光出射面からそれぞれ屈折されて出射されることを特徴とする透光性構造体を有するランプ。
【発明の詳細な説明】
【技術分野】
【０００１】
本発明は、透光性構造体を有するランプに関し、更に詳しくは、微細構造を有する透光性構造体に関し、前記第１光出射面から屈折されて出射される光線の光束を前記第２光出射面から屈折されて出射される光線の他の光束より多くする。
【背景技術】
【０００２】
従来のランプはランプシェードを有するランプ本体であり、前記ランプシェードは透光生のない導光構造体であり、装飾や光源の遮蔽に用いられる。また、前記ランプシェードを利用することにより、ランプ本体中の少なくとも１つの発光素子が発生させる複数の光線の照明方向を提供する。
【発明の概要】
【発明が解決しようとする課題】
【０００３】
しかしながら、前述した従来の技術では、すなわち、従来のランプシェードは実用における幾つかの問題が存在する。例えば、従来のランプシェードは光源を遮蔽するために透光性がなく、インスタレーションや展示物等のランプシェード後方に位置される建材の装飾や背板の装飾も遮蔽されてしまう。また、視覚的透過性がないため、空間全体の視覚性及び開放性にも影響が及ぶ。
【０００４】
さらに、ランプ分野ではより高い照明効果が求められるため、従来のランプは視覚性及び開放性がない以外にも問題が存在した。例えば、ランプ全体の光束（ランプシェードの器具効率に相当する）を増やし、ランプの光の出射範囲を広げなければならない。このため、従来のランプシェードを有するランプは通常より高い仕事率の発光素子（ＬＥＤ）を選択するか、設置する発光素子の数量を増やすことにより上述の問題を改善させている。
【０００５】
また、高い仕事率の多数の発光素子を使用するとランプ全体の装設コストが上昇してしまう上に使用上過多の熱エネルギーが発生し、光線の屈折時に光点が発生する等の多くの欠点が存在する。また、ランプに高い仕事率の多数の発光素子を増設するとランプの電力消費量が増加し、ランプの使用コストも上昇する。
【０００６】
上記課題に鑑み、従来の市販されるランプシェードを有するランプにどのように視覚性及び開放性を与え、同時に全体的な照明効果を高めるかについて思考を重ね、より簡単な技術手段により従来の技術問題を解決することが本発明を発展させた主な目的である。
【０００７】
かかる従来の実情に鑑みて、本発明は透光性構造体を有するランプを提供することを目的とする。主に新規の透光性構造体の構造設計を設計し、前述の従来の技術を応用する上で発生する欠点を解決させる。
【課題を解決するための手段】
【０００８】
上記課題を解決するために、第１実施形態において、本発明が提供される微細構造を有する透光性構造体は、複数の光線を受光させるために用いられる。前記透光性構造体は、第１光出射面と、前記第１光出射面に対応するように設置される第２光出射面と、前記第２光出射面に設置される複数の微細構造とを少なくとも備える。各前記微細構造は第１構造屈折面及び第２構造屈折面を少なくとも含む。これら前記光線の光の進行方向とこれら前記微細構造との間は垂直干渉関係または非平行干渉関係を呈し、且つ各前記第１構造屈折面により受光されると共に屈折された後の光束（ｌｕｍｉｎｏｕｓ  ｆｌｕｘ）は各前記第２構造屈折面により受光されると共に屈折された後の他の光束より多くなる。
【０００９】
好ましくは、前記垂直干渉関係はこれら前記微細構造がこれら前記光線を完全にまたは部分的に垂直に受光させると共に屈折させ、前記非平行干渉関係はこれら前記微細構造がこれら前記光線を完全にまたは部分的に非平行に受光させると共に屈折させる。
【００１０】
好ましくは、これら前記微細構造はＶ字状光学屈折構造、Ｕ字状光学屈折構造、及び曲面光学屈折構造の内の何れか１つまたはそれらの組み合わせである。
【００１１】
好ましくは、これら前記微細構造中の少なくとも１組の隣接する２つの微細構造間の間隔はこれら前記微細構造中の少なくとも他の１組の隣接する２つの微細構造間の間隔とは異なる。
【００１２】
好ましくは、これら前記微細構造中の任意の２つの隣接する前記微細構造間の間隔はこれら前記光線の光源から離れる方向に沿って徐々に狭まるまたは徐々に広がる。
【００１３】
好ましくは、各前記微細構造と前記第２光出射面との間の深さはこれら前記光線の光源から離れる方向に沿って徐々に浅くなるまたは徐々に深くなる。
【００１４】
好ましくは、各前記微細構造中の前記第１構造屈折面と前記第２光出射面との間の鋭角の挟角は前記第２構造屈折面と前記第２光出射面との間の鋭角の挟角より小さい。
【００１５】
好ましくは、各前記微細構造とこれと隣接する他の前記微細構造との間は連続的に連接、非連続的に連接、または部分的に連続的に連接される配列設置方式を呈する。
【００１６】
好ましくは、これら前記光線が未受光の場合、前記透光性構造体は視覚的透過状態となり、これら前記微細構造がこれら前記光線を受光させると共に屈折させた場合、前記透光性構造体が光出射状態となる。
【００１７】
好ましくは、前記視覚的透過状態とは前記第１光出射面の箇所から前記第２光出射面の箇所にある少なくとも１つの物件を視覚的に透視可能な状態を指す。前記光出射状態とは前記透光性構造体がこれら前記光線を受光させると共に屈折させた後、前記第１光出射面から出射される光束が前記第２光出射面から出射される他の光束よりも多くなる状態を指す。
【００１８】
好ましくは、その材質はポリカーボネート（Ｐｏｌｙｃａｒｂｏｎａｔｅ、  ＰＣプラスチック）、アクリロニトリル−ブタジエン−スチレン共重合体（Ａｃｒｙｌｏｎｉｔｒｉｌｅ  Ｂｕｔａｄｉｅｎｅ  Ｓｔｙｒｅｎｅ、  ＡＢＳ樹脂）または／及びそれらの結合である。
【００１９】
好ましくは、円形の透光性構造体、方形透光性構造体、多辺形透光性構造体、または不規則形状の透光性構造体である。
【００２０】
好ましくは、ランプ分野、照明分野、ドア及び窓パネル、または展示フレームに応用される。
【００２１】
また、第２実施形態において、本発明が提供される微細構造を有する透光性構造体は、ランプの少なくとも１つの発光素子の複数の光線を受光させる。前記透光性構造体は、第１光出射面と、前記第１光出射面との間に光の通路を有すると共に対応するように設置される第２光出射面と、前記２面の光出射面に設置される複数の微細構造とを少なくとも備える。これら前記微細構造がこれら前記光線を未受光の場合、前記透光性構造体は視覚的透過状態となり、これら前記微細構造がこれら前記光線を受光させると共に屈折させた場合、前記透光性構造体が光出射状態となり、且つ前記第１光出射面から屈折されて出射される光線の光束（ｌｕｍｉｎｏｕｓ  ｆｌｕｘ）は前記第２光出射面から屈折されて出射される光線の他の光束より多い。
【００２２】
好ましくは、前記視覚的透過状態は前記第２光出射面の箇所にある物件が視覚的に透過可能な状態である。前記光出射状態はこれら前記微細構造がこれら前記光線を受光させると共に屈折させた後、前記第１光出射面から出射される光束が前記第２光出射面から出射される他の光束より多くなる状態である。
【００２３】
好ましくは、中空の透光性構造体であり、前記第１光出射面及び前記第２光出射面は第１透光板体及び第２透光板体にそれぞれ位置される。前記中空の透光性構造体中の前記第２光出射面は第２光出射内表面及び第２光出射外表面を含む。前記第２光出射内表面は前記第２光出射外表面よりも前記第１光出射面に更に近接し、これら前記微細構造は前記第２光出射外表面に設置される。
【００２４】
好ましくは、前記光の通路は隙間であり、これら前記光線を進行させるように前記第２光出射内表面と前記第１光出射面との間に位置される。
【００２５】
好ましくは、これら前記微細構造中の少なくとも１組の隣接する２つの微細構造間の間隔はこれら前記微細構造中の少なくとも他の１組の隣接する２つの微細構造間の間隔とは異なる。
【００２６】
好ましくは、これら前記微細構造中の任意の２つの隣接する前記微細構造間の間隔はこれら前記光線の光源から離れる方向に沿って徐々に狭まるまたは徐々に広がる。
【００２７】
好ましくは、各前記微細構造と前記第２光出射外表面との間の深さがこれら前記光線の光源から離れる方向に沿って徐々に浅くなるまたは徐々に深くなる。
【００２８】
好ましくは、各前記微細構造は第１構造屈折面及び第２構造屈折面を含み、前記第１構造屈折面と前記第２光出射外表面との間の鋭角の挟角は前記第２構造屈折面と前記第２光出射外表面との間の鋭角の挟角より小さい。
【００２９】
好ましくは、これら前記微細構造がこれら前記光線を受光させると共に屈折させ、部分的なこれら前記光線が前記第２光出射面に平均的に分布され、且つ外に向けて平均的に放射される。
【００３０】
また、第３実施形態において、本発明が提供される微細構造を有する透光性構造体は、ランプの少なくとも１つの発光素子の複数の光線を受光させる。前記透光性構造体は、これら前記光線を受光させるための光入射面と、前記光入射面の一側辺に位置される第１光出射面と、前記光入射面の他側辺に位置され、且つ前記第１光出射面に対応するように設置される第２光出射面と、前記第２光出射面に設置される複数の微細構造とを少なくとも備える。これら前記微細構造はこれら前記光線を受光させると共に屈折させてこれら前記光線を前記第１光出射面及び前記第２光出射面からそれぞれ出射させるために用いられ、前記第１光出射面から屈折されて出射される光線の光束（ｌｕｍｉｎｏｕｓ  ｆｌｕｘ）は前記第２光出射面から屈折されて出射される光線の他の光束より多い。
【００３１】
好ましくは、前記光入射面及び前記第２光出射面は垂直であり、これら前記微細構造がこれら前記光線を部分的に垂直に受光させると共に屈折させ、または前記光入射面及び前記第２光出射面は非平行であり、これら前記微細構造がこれら前記光線を部分的に非平行に受光させると共に屈折させる。
【００３２】
好ましくは、これら前記微細構造中の任意の２つの隣接する前記微細構造間の間隔は前記光入射面から離れる方向に沿って徐々に狭まるまたは徐々に広がる。
【００３３】
好ましくは、各前記微細構造と前記第２光出射面との間の深さが前記光入射面から離れる方向に沿って徐々に浅くなるまたは徐々に深くなる。
【００３４】
好ましくは、各前記微細構造が第１構造屈折面及び第２構造屈折面を備える。前記第１構造屈折面と前記第２光出射面との間の鋭角の挟角が前記第２構造屈折面と前記第２光出射面との間の鋭角の挟角より小さい。
【００３５】
また、第４実施形態において、本発明が提供される微細構造を有する透光性構造体は、ランプの少なくとも１つの発光素子の複数の光線を受光させる。前記透光性構造体はこれら前記光線を受光させるための光入射面と、第１光出射面と、複数の微細構造を有する第２光出射面とを少なくとも備える。前記第２光出射面は前記第１光出射面との間に隙間を空けて対応するように設置され、且つ前記第２光出射面と前記光入射面との間は垂直設置関係または非平行設置関係を呈する。これら前記微細構造は前記第１光出射面から屈折されて出射される光線の光束（ｌｕｍｉｎｏｕｓ  ｆｌｕｘ）を前記第２光出射面から屈折されて出射される光線の他の光束より多くするために用いられる。
【００３６】
好ましくは、前記垂直設置関係は前記第２光出射面が前記光入射面の一側辺に垂直に隣接し、または前記非平行設置関係は前記第２光出射面が前記光入射面の一側辺に隣接し、且つ非垂直角度を有する。
【００３７】
好ましくは、これら前記微細構造中の任意の２つの隣接する前記微細構造間の間隔は前記光入射面から離れる方向に沿って徐々に狭まるまたは徐々に広がる。
【００３８】
好ましくは、前記第２光出射面は第２光出射内表面及び第２光出射外表面を含み、前記第２光出射内表面は前記第１光出射面に対応させ、これら前記微細構造は前記第２光出射外表面に設置される。前記隙間はこれら前記光線を進行させるように前記第２光出射内表面と前記第１光出射面との間に位置される。
【００３９】
また、第５実施形態において、本発明が提供される透光性構造体を有するランプは、ランプ本体と、前記ランプ本体に設置され、且つ制御回路基板に応じて複数の光線を発生させる少なくとも１つの発光素子と、前記ランプ本体に結合される透光性構造体とを少なくとも備える。前記透光性構造体は、これら前記光線を受光させるための光入射面と、前記光入射面の一側辺に位置される第１光出射面と、前記光入射面の他側辺に位置され、且つ前記第１光出射面に対応させる第２光出射面と、前記第２光出射面に設置される複数の微細構造とを少なくとも含む。これら前記微細構造中の少なくとも１つの微細構造の設置方式はこれら前記微細構造中の少なくとも他の微細構造の設置方式とは相違し、これら前記微細構造により受光されると共に屈折されるこれら前記光線が前記第１光出射面から屈折されて出射されると光線の光束（ｌｕｍｉｎｏｕｓ  ｆｌｕｘ）が前記第２光出射面から屈折されて出射される光線の他の光束より多くなる。
【００４０】
好ましくは、これら前記微細構造はＶ字状光学屈折構造、Ｕ字状光学屈折構造、及び曲面光学屈折構造の内の何れか１つまたは／及びそれらの組み合わせである。
【００４１】
好ましくは、前記設置方式はこれら前記微細構造中の何れか２つの隣接する前記微細構造間の間隔が前記少なくとも１つの発光素子から離れる位置方向に沿って徐々に狭まるまたは徐々に広がる。
【００４２】
好ましくは、前記設置方式は各前記微細構造と前記第２光出射面との間の深さが前記少なくとも１つの発光素子から離れる位置方向に沿って徐々に浅くなるまたは徐々に深くなる。
【００４３】
好ましくは、前記設置方式は各前記微細構造が第１構造屈折面及び第２構造屈折面を含む。前記第１構造屈折面と前記第２光出射面との間の鋭角の挟角は前記第２構造屈折面と前記第２光出射面との間の鋭角の挟角より小さい。
【００４４】
好ましくは、前記設置方式は各前記微細構造とこれと隣接する他の前記微細構造との間が連続的に連接、非連続的に連接、または部分的に連続的に連接される配列設置方式を呈する。
【００４５】
好ましくは、前記ランプ本体はガイド溝を有する結合構造を備え、前記透光性構造体は前記ガイド溝により前記少なくとも１つの発光素子と組み立てられると共に連通される。
【００４６】
好ましくは、前記結合構造は複数の放熱フィンを有し、且つこれら前記放熱フィン及び前記第２光出射面は同側に位置される。
【００４７】
好ましくは、受動型赤外線人体センサー（ＰＩＲ  Ｍｏｔｉｏｎ  ｓｅｎｓｏｒ）及びマイクロ波（Ｍｉｃｒｏｗａｖｅ）センサーの内の何れか１つを更に含み、前記制御回路基板に電気的に接続される。前記受動型赤外線人体センサーまたは前記マイクロ波センサーは、物件を感知させた際に前記制御回路基板を駆動させて前記少なくとも１つの発光素子がこれら前記光線を発生させるように制御を行う。
【００４８】
また、第６実施形態において、本発明が提供される微細構造を有する透光性構造体は、複数の光線を受光させるために用いられる。前記透光性構造体は、第１光出射面と、前記第１光出射面に対応させて設置される第２光出射面と、前記第２光出射面に設置される複数の微細構造とを少なくとも備える。各前記微細構造は第１構造屈折面及び第２構造屈折面を少なくとも備える。これら前記光線の光の進行方向とこれら前記微細構造との間は垂直干渉関係または非平行干渉関係を呈し、これら前記光線が前記第１光出射面及び前記第２光出射面からそれぞれ屈折されて出射される。
【００４９】
また、第７実施形態において、本発明が提供される微細構造を有する透光性構造体は、ランプの少なくとも１つの発光素子の複数の光線を受光させる。前記透光性構造体は第１光出射面と、前記第１光出射面との間に光の通路を有すると共に対応するように設置される第２光出射面と、前記２面の光出射面に設置される複数の微細構造とを少なくとも備える。これら前記微細構造がこれら前記光線を未受光の場合、前記透光性構造体が視覚的透過状態となり、これら前記微細構造が前記第１光出射面及び前記第２光出射面からこれら前記光線をそれぞれ受光させると共に屈折させると、前記透光性構造体が光出射状態となる。
【００５０】
さらに、第８実施形態において、本発明が提供される微細構造を有する透光性構造体は、ランプの少なくとも１つの発光素子の複数の光線を受光させる。前記透光性構造体は、これら前記光線を受光させるための光入射面と、第１光出射面と、複数の微細構造を有する第２光出射面とを少なくとも備える。前記第２光出射面は前記第１光出射面との間に隙間を空けて対応するように設置され、且つ前記第２光出射面と前記光入射面との間は垂直設置関係または非平行設置関係を呈する。
【００５１】
なお、第９実施形態において、本発明が提供される透光性構造体を有するランプは、ランプ本体と、前記ランプ本体に設置され、且つ制御回路基板に応じて複数の光線を発生させる少なくとも１つの発光素子と、前記ランプ本体に結合される透光性構造体であって、且つ前記少なくとも１つの発光素子は前記透光性構造体の周囲に隣接する箇所に設置されることとを少なくとも備える。前記透光性構造体は、これら前記光線を受光させるための光入射面と、前記光入射面の一側辺に位置される第１光出射面と、前記光入射面の他側辺に位置され、且つ前記第１光出射面に対応させる第２光出射面と、前記第２光出射面に設置される複数の微細構造とを少なくとも含む。これら前記微細構造中の少なくとも１つの微細構造の設置方式はこれら前記微細構造中の少なくとも他の微細構造の設置方式とは相違し、これら前記微細構造により受光されると共に屈折されるこれら前記光線が前記第１光出射面及び前記第２光出射面からそれぞれ屈折されて出射される。
【図面の簡単な説明】
【００５２】
【図１Ａ】本発明の第１実施形態を示す斜視概略図である。
【図１Ｂ】図１Ａに示すランプを他の角度から見た斜視概略図である。
【図１Ｃ】図１Ａに示すランプにおける一部構造の分解図である。
【図１Ｄ】図１Ａに示すランプにおける一部構造を他の角度から見た分解図である。
【図１Ｅ】図１Ａに示す各部分微細構造が透光性構造体に適用される一部拡大図である。
【図２Ａ】本発明の第２実施形態の透光性構造体を示す斜視概略図である。
【図２Ｂ】図２Ａに示す透光性構造体を示す一部構造の断面概略図である。
【図２Ｃ】図２Ａに示す透光性構造体の光束を応用する概略図である。
【図２Ｄ】図２Ａに示す透光性構造体の光束を応用する概略図である。
【図３】本発明の第３実施形態における一部素子を示す断面概略図である。
【図４】本発明の第４実施形態における一部素子を示す断面概略図である。
【図５】本発明の第５実施形態における一部素子を示す傾斜概略図である。
【図６】本発明の第６実施形態における一部素子を示す傾斜概略図である。
【図７Ａ】本発明の第７実施形態における一部素子を示す傾斜概略図である。
【図７Ｂ】図７Ａに示す透光性構造体が第７実施形態での使用状態図である。
【発明を実施するための形態】
【００５３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００５４】
＜第１実施形態＞
図１Ａ乃至図１Ｅは、それぞれ本発明の好ましい第１実施形態を示す斜視概略図、一部構造の分解図、及び図１Ａに示す各部分微細構造が透光性構造体に適用される一部拡大図である。
【００５５】
図１Ａ乃至図１Ｂに示すように、ランプ１０は透光性構造体１００及びランプ本体１５０を備え、且つ前記ランプ本体１５０は結合構造１２０と、制御回路基板１３０と、センサー１４０とを含む。本実施形態の図１Ｃ乃至図１Ｄに示すように、本実施形態に係る透光性構造体１００及び結合構造１２０は左右両側が対称であり、且つ同じ部材構造を有する。このため、透光性構造体１００及び結合構造１２０の右側辺の部材構造のみ示し、本発明の主要な技術的特徴について詳細に説明する。
【００５６】
本実施形態に係る透光性構造体１００は光入射面１０１と、第１光出射面１０２と、第２光出射面１０３と、複数の微細構造１１０とを備える。第１光出射面１０２及び第２光出射面１０３は光入射面１０１の第１側辺１０１ａ及び第２側辺１０１ｂにそれぞれ隣接し、第１光出射面１０２は第２光出射面１０３に対応させる。これら前記微細構造１１０は第２光出射面１０３に位置され、これら前記微細構造１１０はＶ字状光学屈折構造、Ｕ字状光学屈折構造、及び曲面光学屈折構造の内の何れか１つまたは／及びそれらの組み合わせである。本実施形態はＶ字状光学屈折構造１１０について説明するが、但し、実用においては本実施形態に制限されない。
【００５７】
また、本実施形態に係る透光性構造体１００は閉鎖型の中実の薄型透光性構造体であるが、実際の運用ではこれに限られず、閉鎖型の中空の透光性構造体や半閉鎖型の中空または中実の透光性構造体等の各種の均等な変化も全て本発明の発明概念または創作概念の実施運用例に含まれる。
【００５８】
さらに、結合構造１２０は第１側面１２０ａと、第２側面１２０ｂと、第３側面１２０ｃと、ガイド溝１２１とを備え、ガイド溝１２１は第１開口側１２１ａ及び第２開口側１２１ｂを含み、且つ第１開口側１２１ａ及び第２開口側１２１ｂは第１側面１２０ａ及び第２側面１２０ｂにそれぞれ位置される。すなわち、ガイド溝１２１は結合構造１２０の中に連通され、光線が結合構造１２０の第１側面１２０ａ（すなわち、ガイド溝１２１の第１開口側１２１ａ）から結合構造１２０の第２側面１２０ｂ（すなわち、ガイド溝１２１の第２開口側１２１ｂ）まで進行する。すなわち、本実施形態はガイド溝１２１を介して結合構造１２０の中に連通され、同時に透光性構造体１００が部分的にその中に位置を制限され、光線がガイド溝１２１を経由した後、光入射面１０１から受光されると共に屈折される。当然ながら、他の実施形態では、結合構造の構造設計は本実施形態に制限されず、他の位置制限構造または位置制限手段により同じ効果を達成させてもよい。
【００５９】
制御回路基板１３０は複数の発光ダイオード（ＬＥＤ）等の発光素子１３１を備え、制御回路基板に応じて複数の光線を発生させる。本実施形態のセンサー１４０は受動型赤外線人体センサー１４０を例に説明する。前記受動型赤外線人体センサー１４０はランプ本体１５０の底部に位置されると共に前述の制御回路基板１３０に電気的に接続され、物件を感知させた際に制御回路基板を駆動させてこれら前記発光素子１３１がこれら前記光線を発生させるように制御を行う。然しながら、センサー１４０は実用においては上述の受動型赤外線人体センサー以外にも、マイクロ波（Ｍｉｃｒｏｗａｖｅ）センサー等の他の各種のセンサーが応用されてもよい。すなわち、この例では、受動型赤外線人体センサー１４０を例に説明するが、これ本実施形態を制限するものではない。
【００６０】
次いで、上述の各部材の連結関係及び作動関係について説明する。結合構造１２０は制御回路基板１３０及び透光性構造体１００の装設及び位置制限に用いられ、これらを結合構造１２０の第１側面１２０ａ及び第２側面１２０ｂにそれぞれ位置させる。また、ガイド溝１２１の第１開口側１２１ａ及び第２開口側１２１ｂを介して制御回路基板１３０及び透光性構造体１００を互いに連通させ、透光性構造体１００の光入射面１０１に制御回路基板１３０上のこれら前記発光素子１３１が発生させたこれら前記光線を受光させる。本実施形態のこれら前記発光素子１３１は透光性構造体１００の外部に位置され、且つ光入射面１０１との間に一定の距離を開くが、実際の運用ではこの限りではない。これら前記発光素子１３１を可能な限り光入射面１０１に隣接するように配置し、光入射面１０１の入光量を増加させてもよい。
【００６１】
更に、透光性構造体１００は光入射面１０１を介してこれら前記光線を受光させ、且つ第２光出射面１０３に位置されるこれら前記Ｖ字状光学屈折構造１１０はこれら前記光線を受光させると共に屈折させるために用いられ、前記第１光出射面から屈折されて出射される光線の光束（ｌｕｍｉｎｏｕｓ  ｆｌｕｘ）を前記第２光出射面から屈折されて出射される光線の他の光束よりも多くする。すなわち、本実施形態中の光入射面１０１は光線の入射面であり、第１光出射面１０２は主要な光線の出射面であり、第２光出射面１０３は光線の屈折面である。また、第２光出射面１０３に位置されるこれら前記Ｖ字状光学屈折構造１１０はこれら前記光線を受光させると共に屈折させ、第１光出射面１０２から出射される光束を第２光出射面１０３から出射される他の光束より多くする。
【００６２】
すなわち、これら前記光線は全て第１光出射面１０２及び第２光出射面１０３から外に向けて透過され、２面の光出射面から共に出射されることに相当する。但し、第１光出射面１０２の光束は前記第２光出射面の他の光束の少なくとも２倍から４倍あるが、これに限られず、必要に応じて構造設計を調整してもよく、後述の好ましい第２実施形態において光束Ｌ１と他の光束Ｌ２の関係についてより詳しく説明する。
【００６３】
ちなみに、本発明に係る透光性構造体１００は主にこれら前記Ｖ字状光学屈折構造１１０中の任意の２つの隣接するＶ字状光学屈折構造間の間隔が完全に同じであるか、部分的に同じであるか、完全に相違する。これにより、ランプ１０全体の光束（すなわち、業界でいうところの器具効率）を増やし、光の出射範囲を広げる。
【００６４】
詳しくは、図１Ｅに示すように、本実施形態では、透光性構造体１００として平面の透光性構造体が採用され、且つこれら前記Ｖ字状光学屈折構造は第２光出射面１０３に分布配列される。第２光出射面１０３はＡ１領域のＶ字状光学屈折構造１１０ａ及びＢ１領域のＶ字状光学屈折構造１１０ｂを更に備える。Ａ１領域のＶ字状光学屈折構造１１０ａは光入射面１０１に近接し、前述の光線入射面に近接することに相当する。Ｂ１領域のＶ字状光学屈折構造１１０ｂは光入射面１０１から離れ、光源から離れることに相当する。
【００６５】
そして、Ａ１領域中の各Ｖ字状光学屈折構造１１０ａ間の間隔は等しく、図１Ｄに示すように、間隔ａ１は間隔ａ２に等しい。反対に、Ｂ１領域中のこれら前記Ｖ字状光学屈折構造１１０ｂ中の任意の２つの隣接するＶ字状光学屈折構造１１０ｂ間の間隔ｂ１、ｂ２、ｂ３、ｂ４、ｂ５は光入射面１０１から離れる方向に沿って徐々に狭まってゆく。図１Ｂに示すように、間隔ｂ５は間隔ｂ４より小さく、間隔ｂ４は間隔ｂ３より小さく、間隔ｂ３は間隔ｂ２より小さく、間隔ｂ２は間隔ｂ１より小さい。
【００６６】
すなわち、これら前記Ｖ字状光学屈折構造１１０、１１０ａ、１１０ｂの内の何れか２つの隣接する前記Ｖ字状光学屈折構造間の間隔ａ１、ａ２、ｂ１、ｂ２、ｂ３、ｂ４、ｂ５は実際のランプ製品の照明効果の需要に応じてこれら前記発光素子１３１から離れる位置方向に沿って（光入射面１０１から離れる）これら前記間隔ａ１、ａ２、ｂ１、ｂ２、ｂ３、ｂ４、ｂ５が等しくなるように調整されるか、徐々に狭まるまたは徐々に広がる設計とし、第２光出射面１０３に分布配列される。
【００６７】
このように、透光性構造体１００はこれら前記光線がこれら前記Ｖ字状光学屈折構造１１０、１１０ａ、１１０ｂにより受光されると共に屈折され、屈折後の部分的なこれら前記光線が第１光出射面１０２に平均的に分布される。これにより、第１光出射面１０２から透過される光束（器具効率）が増え、光の出射範囲が広がり、光点の発生が効果的に減少する。
【００６８】
透光性構造体中の微細構造の設計は、上述の好ましい第１実施形態のこれら前記間隔ａ１、ａ２、ｂ１、ｂ２、ｂ３、ｂ４、ｂ５を変化させて調整させる以外、当然ながら他の好ましい実施態様の設計もあり、以下では好ましい第２実施形態について説明する。
【００６９】
＜第２実施形態＞
図２Ａ乃至図２Ｄは、それぞれ本発明の好ましい第２実施形態に係る透光性構造体の斜視概略図、一部構造の一部断面拡大図、及び図２Ａに示す透光性構造体が発生させる光束を応用する概略図である。
【００７０】
図２Ａ乃至図２Ｄに示すように、本実施形態に係る透光性構造体２００は光入射面２０１と、第１光出射面２０２と、第２光出射面２０３と、複数の微細構造２１０とを備える。第１光出射面２０２及び第２光出射面２０３は光入射面２０１の両側辺にそれぞれ隣接し、第１光出射面１０２を第２光出射面１０３に対応させる。これら前記微細構造２１０は同様に第２光出射面２０３に位置される。これら前記微細構造２１０についてＶ字状光学屈折構造２１０を例に説明し、且つＶ字状光学屈折構造２１０ａ１が第１構造屈折面２１１ａ及び第２構造屈折面２１１ｂを少なくとも備えることについて説明する。また、第１構造屈折面２１１ａ及び第２構造屈折面２１１ｂは第２光出射面との間に鋭角の角度θ１、θ２がそれぞれ形成される。
【００７１】
好ましい第２実施形態において、透光性構造体２００がこれら前記Ｖ字状光学屈折構造２１０中の各Ｖ字状光学屈折構造２１０と第２光出射面２０３との間の深さの違い、及び第２光出射面２０３における各Ｖ字状光学屈折構造２１０の切削面の幅の違いによりＶ字状光学屈折構造２１０全体の光出射品質をどのように向上させるかについて明確に説明する。すなわち、第１光出射面の光束を効果的に増加させ、光の出射範囲を広げ、光点の発生を効果的に減少させる。
【００７２】
詳しくは、図２Ｂに示すように、第２光出射面２０３においてＶ字状光学屈折構造２１０は同様にＡ２領域のＶ字状光学屈折構造２１０ａ及びＢ２領域のＶ字状光学屈折構造２１０ｂを備える。Ａ２領域のＶ字状光学屈折構造２１０ａは複数のＶ字状光学屈折構造２１０ａ１、２１０ａ２、２１０ａ３を含み、Ｂ２領域のＶ字状光学屈折構造２１０ｂは複数のＶ字状光学屈折構造２１０ｂ１、２１０ｂ２、２１０ｂ３、２１０ｂ４、２１０ｂ５を含む。
【００７３】
さらに、Ａ２領域のＶ字状光学屈折構造２１０ａ１、２１０ａ２、２１０ａ３は光入射面２０１に近接し、Ｂ２領域のＶ字状光学屈折構造２１０ｂ１、２１０ｂ２、２１０ｂ３、２１０ｂ４、２１０ｂ５は光入射面２０１から離れる。すなわち、Ａ２領域のＶ字状光学屈折構造２１０ａ１、２１０ａ２、２１０ａ３はＢ２領域のＶ字状光学屈折構造２１０ｂ１、２１０ｂ２、２１０ｂ３、２１０ｂ４、２１０ｂ５よりも光源に更に近接する。
【００７４】
図２Ｂから分かるように、Ａ２領域のＶ字状光学屈折構造２１０ａ１、２１０ａ２、２１０ａ３と第２光出射面２０３との間の深さｃ１、ｃ２、ｃ３は光入射面２０１から離れる方向に沿って徐々に深くなる。すなわち、深さｃ１は深さｃ２より浅く、深さｃ２は深さｃ３より浅い。第２光出射面２０３におけるＢ２領域のＶ字状光学屈折構造２１０ｂ１、２１０ｂ２、２１０ｂ３、２１０ｂ４、２１０ｂ５の切削面の幅ｄ１、ｄ２、ｄ３、ｄ４、ｄ５は光入射面２０１から離れる方向に沿って徐々に広くなる。すなわち、切削面の幅ｄ１は切削面の幅ｄ２より狭く、切削面の幅ｄ２は切削面の幅ｄ３より狭く、切削面の幅ｄ３は切削面の幅ｄ４より狭く、切削面の幅ｄ４は切削面の幅ｄ５より狭い。
【００７５】
また、図２Ｃ及び図２Ｄを参照し、Ｖ字状光学屈折構造２１０ａ１中の第１構造屈折面２１１ａと第２光出射面２０３との間の鋭角の挟角θ１は第２構造屈折面２１１ｂと第２光出射面２０３との間の鋭角の挟角θ２より小さく、第１構造屈折面２１１ａの屈折面積が第２構造屈折面２１１ｂの屈折面積より大きくなり、これにより各第１構造屈折面２１１ａにより受光されると共に屈折された後の光束Ｌ１が各前記第２構造屈折面２１１ｂにより受光されると共に屈折された後の他の光束Ｌ２よりも多くなる。本発明がここで指す光束は業界で言うところの光線の器具効率に相当する。すなわち、本実施形態の第１光出射面２０２の器具効率は第２光出射面２０３の器具効率より高い。
【００７６】
なお、本実施形態の各Ｖ字状光学屈折構造２１０とこれらと隣接する他のＶ字状光学屈折構造２１０と間は非連続的に連接される配列設置方式となる。然しながら、他の実施形態においては連続的に連接、非連続的に連接または部分的に連続的に連接される配列設置方式でもよく、透光性構造体及び光源設計の実際の需要に応じて変更可能であり、本実施形態により制限するものではない。
【００７７】
当然ながら、上述の各部材は本技術分野に習熟する者ならば様々な均等な変更や設計を行うことができる。また、実際の運用における必要に応じた各部材の構造設計及び規格の調整も可能であり、本実施形態を以って制限するものではない。
【００７８】
例えば、透光性構造体は上述の平面の透光性構造体のほか、弧面の透光性構造体及び曲面の透光性構造体の内の何れか１つでもよく、上述の実施形態により制限するものではない。また、透光性構造体の外観形状の違いに合わせて任意の２つの隣接する微細構造間の間隔、各微細構造及び第２光出射面の深さ、切削面の幅及び鋭角の角度を異なる設計に変更し、実際の製品の効果及び照明効果の需要に対応させても良い。よって、この効果を達成させる各種の均等な構造も本発明の権利の保護範囲に含まれる。
【００７９】
ここでは、本発明の好ましい第３実施形態及び好ましい第４実施形態について説明する。図３及び図４はそれぞれ好ましい第３実施形態における一部素子の断面概略図、及び好ましい第４実施形態における一部素子の断面概略図である。
【００８０】
＜第３実施形態＞
図３に示すように、本実施形態は好ましい第３実施形態のランプ３０中の一部素子を例に本発明の主な発明概念を説明する。本実施形態は前述の実施形態と同様に透光性構造体３００と、結合構造３２０と、制御回路基板３３０とを備える。透光性構造体３００は光入射面３０１と、第１光出射面３０２と、第２光出射面３０３と、複数の微細構造３１０とを含み、例えば、前述の実施形態のＶ字状光学屈折構造である。第１光出射面３０２及び第２光出射面３０３は光入射面３０１の第１側辺３０１ａ及び第２側辺３０１ｂにそれぞれ隣接し、第１光出射面３０２を第２光出射面３０３に対応させる。また、これら前記Ｖ字状光学屈折構造３１０は第２光出射面３０３に位置され、Ａ３領域のＶ字状光学屈折構造３１０ａ及びＢ２領域のＶ字状光学屈折構造３１０ｂを備える。
【００８１】
ちなみに、この例では複数の放熱フィン３２１を増設させており、結合構造３２０の一部は第１側面３２０ａと、第２側面３２０ｂと、第３側面３２０ｃと、ガイド溝３２２とを含む。これら前記放熱フィン３２１は第３側面３２０ｃに配列され、ガイド溝３２２は開口側３２２ａを備える。また、ガイド溝３２２は第２側面３２０ｂと第３側面３２０ｃとの間に位置される。開口側３２２ａは透光性構造体３００に結合させるために用いられ、且つ光入射面３０１が開口側３２２ａに緊密に配置される。制御回路基板３３０は少なくとも１つの発光素子３３１を具備し、例えば、発光ダイオード（ＬＥＤ）であり、制御回路基板３３０に応じて複数の光線を発生させるために用いられ、且つガイド溝３２２から光線が漏れないようにして光入射面３０１の箇所まで完全に進行させる。
【００８２】
さらに、光入射面３０１に近接するＡ３領域中の任意の２つの隣接するＶ字状光学屈折構造３１０ａの間隔は互いに等しく、光入射面３０１から離れるＢ３領域中の任意の２つの隣接するＶ字状光学屈折構造３１０ｂの間隔は前記少なくとも１つの発光素子３３１から離れる位置方向に沿って徐々に狭くなる。これにより、第１光出射面３０２においてランプ３０全体の器具効率が向上し、同時に光点の発生も減少する。
【００８３】
然しながら、本実施形態の前述の実施形態との差異は、本実施形態に係る透光性構造体３００が弧面の透光性構造体３００であり、且つ前記弧面の透光性構造体３００の外観形状に対応させるため第１光出射面３０２が凸面となり、第２光出射面３０３が凹面となり、これら前記Ｖ字状光学屈折構造３１０が第２光出射面３０３（凹面）上に分布配列される点である。これにより、受光されると共に屈折された後の部分的な光線が前記第１光出射面３０２（凸面）から外に向けて拡散され、ランプ３０全体の光の出射範囲が広がる。例えば、透光性構造体３００は屋外の電灯や街灯に運用され、これら前記Ｖ字状光学屈折構造３１０が凹面上に分布配列されるため光線が外に向けて拡散され、全体的な光の出射範囲が広がり、夜間の通行者の視野が広がる。
【００８４】
一方、本発明に係るランプはＶ字状光学屈折構造の設置位置を変更することで他の照明効果を発生させることができる。本実施形態は第４実施形態に係るランプ４０中の一部素子を例にし、他の照明効果を如何に発生させるかについて説明する（図４参照）。
【００８５】
＜第４実施形態＞
図４に示すように、本実施形態は前述の実施形態と同様に透光性構造体４００と、結合構造４２０と、制御回路基板４３０とを備える。透光性構造体４００は光入射面４０１と、第１光出射面４０２と、第２光出射面４０３と、複数の微細構造４１０とを更に含み、例えば、前述の実施形態のＶ字状光学屈折構造である。第１光出射面４０２及び第２光出射面４０３は光入射面４０１の第１側辺４０１ａ及び第２側辺４０１ｂにそれぞれ隣接し、第１光出射面４０２を第２光出射面４０３に対応させる。また、これら前記Ｖ字状光学屈折構造４１０は第２光出射面４０３に位置され、Ａ４領域のＶ字状光学屈折構造４１０ａ及びＢ４領域のＶ字状光学屈折構造４１０ｂを備える。
【００８６】
結合構造４２０の一部は第１側面４２０ａと、第２側面４２０ｂと、第３側面４２０ｃと、複数の放熱フィン４２１と、ガイド溝４２２とを更に備える。これら前記放熱フィン４２１は第３側面４２０ｃに配列され、ガイド溝４２２は開口側４２２ａを含み、且つガイド溝４２２は第２側面４２０ｂと第３側面４２０ｃとの間に位置される。開口側４２２ａは透光性構造体４００に結合させるために用いられ、光入射面４０１を開口側４２２ａに緊密に配置させる。制御回路基板４３０は少なくとも１つの発光素子４３１を含み、例えば発光ダイオード（ＬＥＤ）であり、制御回路基板４３０に応じて複数の光線を発生させるために用いられ、且つガイド溝４２２を経由させて光線を漏らさずに光入射面４０１の箇所まで完全に進行させる。
【００８７】
さらに、光入射面４０１に近接するＡ４領域中の任意の２つの隣接するＶ字状光学屈折構造４１０ａの間隔は互いに等しく、光入射面４０１から離れるＢ４領域中の任意の２つの隣接するＶ字状光学屈折構造４１０ｂの間隔は前記少なくとも１つの発光素子４３１から離れる位置方向に沿って徐々に狭くなる。これにより、第１光出射面４０２においてランプ全体の器具効率が高まり、同時に光点の発生も減少する。
【００８８】
然しながら、本実施形態の前述の実施形態との差異は、本実施形態に係る透光性構造体４００は同様に弧面の透光性構造体であるが、但し、前記弧面の透光性構造体の外観形状に対応させるため第１光出射面４０２は凹面とし、第２光出射面４０３は凸面とする。また、これら前記Ｖ字状光学屈折構造４１０は第２光出射面４０３（凸面）上に分布配列され、受光されると共に屈折された後の部分的な光線が前記第１光出射面４０２（凹面）の外から内に向けて集中され、ランプ４０全体の光の出射範囲が特定の領域中に集中する。例えば、透光性構造体４００がテーブルランプに運用され、これら前記Ｖ字状光学屈折構造４１０が凸面上に分布配列されることにより光線がテーブル面に集中し、使用者が閲読しやすくなる。
【００８９】
ちなみに、微細構造の一部は透光性構造体の外観形状に適合させ、Ｖ字状光学屈折構造、Ｕ字状光学屈折構造及び曲面光学屈折構造の内の何れか１つまたはそれらの組み合わせを選択し、同時に透光性構造体の外観形状及び発光素子の設置位置に基づいて任意の２つの隣接する微細構造間の間隔を相違するように設計し、且つ各微細構造及び前記微細構造に設置される光出射面の間の深さ、切削面の幅及び鋭角の角度を調整する。
【００９０】
つまり、透光性構造体が曲面の透光性構造体である場合、第２光出射面（光線屈折面）の凸面及び凹面に対応するように任意の２つの隣接する微細構造間の間隔が徐々に狭まる及び徐々に広くなるように設計する。或いは、複数の発光素子が透光性構造体の両側辺に設置される場合、任意の２つの隣接する微細構造間の間隔が前記両側辺に沿って透光性構造体の中央部に向けて徐々に狭まるように設計する。さらに、曲面の弧度の深さに基づいて微細構造の全体の高さ及び切削面の幅に対応するように設計する。すなわち、各微細構造と前記微細構造に設置される光出射面との間の深さ、切削面の幅及び鋭角の角度の調整を行う。
【００９１】
すなわち、微細構造の高さ（すなわち、切削面の深さ）は複数の発光素子から離れる方向にかけて徐々に増してゆき、これは切削面の深さが徐々に深まることに相当する。例えば、好ましい第１実施形態では、透光性構造体１００のＢ１領域のＶ字状光学屈折構造１１０ｂの高さがＡ１領域のＶ字状光学屈折構造１１０ａの高さより高く、好ましい第２実施形態では、透光性構造体２００のＢ２領域のＶ字状光学屈折構造２１０ｂの高さがＡ２領域のＶ字状光学屈折構造２１０ｂの高さより高い。すなわち、本発明に係る微細構造の設計は全体的な微細構造間の間隔、各微細構造の鋭角の角度、高さ及び切削面の幅を複数の発光素子の設置位置に対応するように調整させる。
【００９２】
これ以外にも、透光性構造体の外観形状は前述の実施形態の長方形以外にも円形、楕円形、多角形（すなわち、多辺形）、または不規則形状でもよく、例えば三角形、四角形、五角形、六角形等でもよい。或いは、特殊なデザインの花模様、雲模様、幾何形状等でもよい。透光性構造体の外観形状が円形、楕円形、または不規則形状である場合、発光素子の設置位置は透光性構造体の中心点に設置され、選択されたＶ字状光学屈折構造、Ｕ字状光学屈折構造、及び曲面光学屈折構造の内の何れか１つまたはそれらの組み合わせが発光素子を中心として第２光出射面に放射状に配列されてもよい（光線屈折面）。
【００９３】
または、透光性構造体が半球体、球体、或いは他の特殊な造形の立体形状である場合、透光性構造体中に設置される微細構造を少なくとも１つの発光素子の設置位置または複数の光源に応じてその構造設計を調整してもよく、光源の強弱に合わせて透光性構造体を多種多様な状態にし、視覚的透過状態、光出射状態、或いは部分的な光出射状態等にする。これにより、多種多様な光学的視覚効果を有する。
【００９４】
＜第５実施形態＞
上記のように、好ましい第５実施形態及び好ましい第６実施形態の例について説明する。図５及び図５はそれぞれ好ましい第５実施形態における透光性構造体の斜視概略図及び好ましい第６実施形態における透光性構造体の斜視概略図である。
【００９５】
図５に示すように、本実施形態の透光性構造体５００は円形の透光性構造体５００であり、光入射面５０１と、第１光出射面５０２と、第２光出射面５０３と、複数の微細構造５１０とを備える。透光性構造体５００は光源に近接し、且つ前記光源は光入射面５０１に位置されるか近接し、透光性構造体５００の円心箇所に相当する。また、これら前記微細構造５１０の内の任意の２つの隣接する微細構造５１０の間隔は光入射面５０１から外に向けて徐々に狭くなり、且つ微細構造５１０の深さ及び切削面の幅も同様に外に向けて徐々に深くなるか徐々に広くなる。すなわち、微細構造５１０の切削の深さ及び幅が円心箇所から外に向けて徐々に増してゆく。
【００９６】
＜第６実施形態＞
反対に、図６を参照し、この実施形態に係る透光性構造体６００も同様に円形の透光性構造体６００であり、光入射面６０１と、第１光出射面６０２と、第２光出射面６０３と、複数の微細構造６１０とを備える。本実施形態の前述の実施形態との差異は、本実施形態に係る光入射面６０１は円形の透光性構造体６００の円周箇所に位置され、円周箇所から円心箇所に向けて屈折される複数の光線を受光させるために用いられ、発光素子が円周箇所（光入射面６０１）に設置され、且つ発生したこれら前記光線を円心箇所に向けて進行させることに相当する点である。
【００９７】
すなわち、これら前記光線の光の進行方向とこれら前記微細構造６１０との間が垂直干渉関係または非平行干渉関係を呈し、且つ第１光出射面６０２を経て透過される光束が第２光出射面６０３を経て透過される他の光束より多くなる。前記垂直干渉関係はこれら前記微細構造６１０がこれら前記光線を完全にまたは部分的に垂直に受光させると共に屈折させることであり、前記非平行干渉関係はこれら前記微細構造６１０がこれら前記光線を完全にまたは部分的に非平行に受光させると共に屈折させることである。
【００９８】
そして、これら前記微細構造６１０の内の任意の２つの隣接する微細構造６１０の間隔は光入射面６０１から内に向け徐々に狭くなり、且つ微細構造６１０の深さ及び切削面の幅も同様に内に向けて徐々に深くなるか徐々に広くなる。すなわち、微細構造６１０の切削の深さ及び幅が円周箇所から内に向けて徐々に増してゆく。
【００９９】
ちなみに、本発明の透光性構造体は第２光出射面に位置される複数の微細構造の構造設計によりこれら前記微細構造がこれら前記光線を受光させると共に屈折させることにより、第１光出射面から屈折されて出射される光線の光束が第２光出射面から屈折されて出射される光線の他の光束よりも明らかに多くなる。よって、透光性構造体が光線を受光させたか否かに応じてそれぞれ視覚的透過状態及び光出射状態となる。好ましい第７実施形態を例にして説明すると、本発明に係る透光性構造体は他の分野で運用される。
【０１００】
＜第７実施形態＞
本発明の透光性構造体は上述のランプ分野以外にも他の照明分野、ドア及び窓パネル、展示フレーム、ショーウィンドウ等にも更に応用される。本実施形態では透明なウィンドウパネル７０を例に説明する。図７Ａ及び図７Ｂはそれぞれ本発明の好ましい第７実施形態における一部素子の斜視概略図及び使用状態図である。図７Ａ及び図７Ｂに示すように、本実施形態に係る透明なウィンドウパネル７０は透光性構造体７００及び発光素子７３を備え、透光性構造体７００は２面の光入射面７０１と、第１光出射面７０２と、第２光出射面７０３と、複数の微細構造７１０とを含む。発光素子７３は２つの発光ダイオードバー７３１、７３２または２つの発光ダイオードライトストリップ７３１、７３２である。
【０１０１】
２面の光入射面７０１は透光性構造体７００の相互に対応し合う左右両側辺である。当然ながら、他の実施形態では透光性構造体７００の相互に対応し合う上下両側辺でもよく、第２光出射面７０３は第１光出射面７０２よりも物件８０に更に近接する。すなわち、本発明に係る透明なウィンドウパネル７０の第１光出射面７０２は外に向けて表示される滑らかな透光表面であり、第２光出射面７０３は内部に向けられて内部に展示される物件８０に近接する。また、これら前記微細構造７１０は前記第２光出射面７０３に設置され、２面の光入射面７０１から複数の光線を受光させる共に屈折させるために用いられる。これら前記微細構造７１０の構造設計は光源の設置位置（すなわち、発光素子７３、７３１、７３２の設置位置）に対応させ、透光性構造体７００の左右両側辺から中央箇所に向けて徐々に深くなり、且つこれら前記微細構造７１０の内の任意の２つの隣接する前記微細構造７１０間の間隔が徐々に狭くなる。
【０１０２】
当然ながら、微細構造７１０の構造設計は、例えば、互いの間の間隔、微細構造の切削の深さ、鋭角の角度及び切削面の幅が光源の設置位置に基づいて調整されるほか、光源の強弱（発光素子の仕事率）に基づいて対応する構造設計が調整され、微細構造の実際の使用態様は上述の全ての好ましい実施形態によって制限はされない。
【０１０３】
発光素子７３の２つの発光ダイオードバー７３１、７３２または２つの発光ダイオードライトストリップ７３１、７３２は２面の光入射面７０１の箇所にそれぞれ位置されるか設置され、且つ感知された周囲の環境の輝度または制御回路基板の命令信号に応じてこれら前記光線を発生させる。
【０１０４】
続いて、透明なウィンドウパネル７０の実際の運用方式は百貨店のショーウィンドウや歩道にあるバス停等に応用される。先ず、ショーウィンドウについて説明する。発光素子７３が複数の光線を未発生の場合、透明なウィンドウパネル７０がこれら前記光線を受光させずに視覚的透過状態となる。発光素子７３がこれら前記光線を発生させると、これら前記微細構造７１０がこれら前記光線を受光させると共に屈折させて光出射状態となる。前記視覚的透過状態とは前記第１光出射面７０２の箇所から前記第２光出射面７０３の後方箇所にある物件８０の一部領域が視覚的に透視可能な状態となることを指し、図７Ａに示すのと同様である。
【０１０５】
前記光出射状態とはこれら前記微細構造７１０がこれら前記光線を受光させると共に屈折させた後、前記第１光出射面から透過される光束が前記第２光出射面から透過される他の光束より多くなり、これにより透光性構造体７００が明光面を形成させることを指し、間接照明効果に相当する。よって、前記第２光出射面７０３の間接照明効果によって物件８０の一部領域が遮られて透視不能になり、図７Ｂに示すようになる。
【０１０６】
これにより、透明なウィンドウパネル７０が商店や売り場の実際の使用状況に応じて発光素子７３を駆動させてこれら前記光線を発生させ、その場の使用状況を満たす。例えば、歩行者が歩行したり透明なウィンドウパネル７０が応用されるショーウィンドウに近付くと発光素子７３がこれら前記光線を発生させ、歩行者の目線をショーウィンドウに集中させることで商品販売の需要を満たす。一方、透明なウィンドウパネル７０はバス停に更に応用され、前記発光素子７３が周囲の環境が暗くなった場合に駆動されてこれら前記光線を発生させ、透明なウィンドウパネル７０が視覚的透過状態または光出射状態となる。
【０１０７】
例えば、周囲の環境が曇り、雨、または暗い場合、前記発光素子７３がセンサー（図示省略）に応じて駆動されてこれら前記光線を発生させ、透光性構造体７００が光出射状態となり、間接照明を更に形成させ、歩行者が歩行したりバスが停車する際に安全が確保される効果を有する。周囲の環境が晴天または昼間である場合、前記発光素子７３が前記センサー（図示省略）に応じて光線を全く発生させず、透光性構造体７００が視覚的透過状態となり、歩行者が周囲の環境を透視可能な状態にする。バスがバス停に到着したかどうか分かりやすくなり、多重の効果を有する。センサーは光電センサーが応用され、その中の感光部材により光信号が電気通信信号に変換される。これにより、前述のように環境の輝度の変化に応じて発光素子が駆動されて光線を発生させる。センサーは他の各種のセンサーでもよく、これら前述の好ましい実施形態によって制限されない。
【０１０８】
また、本発明の透光性構造体の材質はポリカーボネート（Ｐｏｌｙｃａｒｂｏｎａｔｅ、  ＰＣプラスチック）、アクリロニトリル−ブタジエン−スチレン共重合体（Ａｃｒｙｌｏｎｉｔｒｉｌｅ  Ｂｕｔａｄｉｅｎｅ  Ｓｔｙｒｅｎｅ、  ＡＢＳ樹脂）、または／及びそれらの結合である。このため、プラスチック射出方式により一体成形される。或いは、透光性構造体の微細構造の一部が処理される場合、例えば、前述の各実施形態中のＶ字状光学屈折構造は１回切削されるのみで１回で成形され、複雑で煩雑な工法及び工程が不要である。よって、本発明に係る透光性構造体の製造工程が簡略になり、且つランプの実際の照明効果の需要に応じて異なる配列で組み合わせられる微細構造を有する透光性構造体を選択でき、同時にランプの光点問題を効果的に改善させ、従来のランプの多くの欠点を解決させる。
【０１０９】
これにより、本発明に係る透光性構造体及びそのランプは主に透光性構造体の外観形状、微細構造の構造設計及び配列設置により、透光性構造体全体が実際の需要に応じて構造設計が変更され、対応する照明効果及び使用状態が発生し、ランプ全体の器具効率が向上し、光の出射範囲が調整され、光点の発生が減少する以外、需要に応じて使用状態に対応するように調整可能である。上述の好ましい実施形態における視覚的透過状態または光出射状態のようになり、多様な効果を有する。
【０１１０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【０１１１】
１０  ランプ
１００  透光性構造体
１０１  光入射面
１０１ａ  第１側辺
１０１ｂ  第２側辺
１０２  第１光出射面
１０３  第２光出射面
１１０  微細構造、Ｖ字状光学屈折構造
１１０ａ  微細構造、Ｖ字状光学屈折構造
１１０ｂ  微細構造、Ｖ字状光学屈折構造
１２０  結合構造
１２０ａ  第１側面
１２０ｂ  第２側面
１２０ｃ  第３側面
１２１  ガイド溝
１２１ａ  第１開口側
１２１ｂ  第２開口側
１３０  制御回路基板
１３１  発光素子
１４０  感知器、受動型赤外線人体センサー
１５０  ランプ本体
２０  ランプ
２００  透光性構造体
２０１  光入射面
２０２  第１光出射面
２０３  第２光出射面
２１０  微細構造、Ｖ字状光学屈折構造
２１０ａ  微細構造、Ｖ字状光学屈折構造
２１０ａ１  微細構造、Ｖ字状光学屈折構造
２１０ａ２  微細構造、Ｖ字状光学屈折構造
２１０ａ３  微細構造、Ｖ字状光学屈折構造
２１０ｂ  微細構造、Ｖ字状光学屈折構造
２１０ｂ１  微細構造、Ｖ字状光学屈折構造
２１０ｂ２  微細構造、Ｖ字状光学屈折構造
２１０ｂ３  微細構造、Ｖ字状光学屈折構造
２１０ｂ４  微細構造、Ｖ字状光学屈折構造
２１０ｂ５  微細構造、Ｖ字状光学屈折構造
３０  ランプ
３００  透光性構造体
３０１  光入射面
３０１ａ  第１側辺
３０１ｂ  第２側辺
３０２  第１光出射面
３０３  第２光出射面
３１０  微細構造、Ｖ字状光学屈折構造
３１０  微細構造、Ｖ字状光学屈折構造、
３１０ｂ  微細構造、Ｖ字状光学屈折構造
３２０  結合構造
３２０ａ  第１側面
３２０ｂ  第２側面
３２０ｃ  第３側面
３２１  放熱フィン
３２２  ガイド溝
３２２ａ  開口側
３３０  制御回路基板
３３１  発光素子
４０  ランプ
４００  透光性構造体
４０１  光入射面
４０１ａ  第１側辺
４０１ｂ  第２側辺
４０２  第１光出射面
４０３  第２光出射面
４１０  微細構造、Ｖ字状光学屈折構造
４１０ａ  微細構造、Ｖ字状光学屈折構造
４１０ｂ  微細構造、Ｖ字状光学屈折構造
４２０  結合構造
４２０ａ  第１側面
４２０ｂ  第２側面
４２０ｃ  第３側面
４２１  放熱フィン
４２２  ガイド溝
４２２ａ  開口側
４３０  制御回路基板
４３１  発光素子
５００  透光性構造体
５０１  光入射面
５０２  第１光出射面
５０３  第２光出射面
５１０  微細構造
６００  透光性構造体
６０１  光入射面
６０２  第１光出射面
６０３  第２光出射面
６１０  微細構造
７０  透明なウィンドウパネル
７００  透光性構造体
７０１  光入射面
７０２  第１光出射面
７０３  第２光出射面
７１０  微細構造
７３  発光素子
７３１  ２つの発光ダイオードバー、２つの発光ダイオードライトストリップ
７３２  ２つの発光ダイオードバー、２つの発光ダイオードライトストリップ
８０  物件
Ａ１  Ａ領域のＶ字状光学屈折構造
Ａ２  Ａ領域のＶ字状光学屈折構造
Ａ３  Ａ領域のＶ字状光学屈折構造
Ａ４  Ａ領域のＶ字状光学屈折構造
ａ１  Ａ領域中の隣接する任意の２つのＶ字状光学屈折構造間の間隔
ａ２  Ａ領域中の隣接する任意の２つのＶ字状光学屈折構造間の間隔
Ｂ１  Ｂ領域のＶ字状光学屈折構造
Ｂ２  Ｂ領域のＶ字状光学屈折構造
Ｂ３  Ｂ領域のＶ字状光学屈折構造
Ｂ４  Ｂ領域のＶ字状光学屈折構造
ｂ１  Ｂ領域中の隣接する任意の２つのＶ字状光学屈折構造間の間隔
ｂ２  Ｂ領域中の隣接する任意の２つのＶ字状光学屈折構造間の間隔
ｂ３  Ｂ領域中の隣接する任意の２つのＶ字状光学屈折構造間の間隔
ｂ４  Ｂ領域中の隣接する任意の２つのＶ字状光学屈折構造間の間隔
ｂ５  Ｂ領域中の隣接する任意の２つのＶ字状光学屈折構造間の間隔
ｃ１  Ａ２領域における各Ｖ字状光学屈折構造と第２光出射面との間の深さ
ｃ２  Ａ２領域における各Ｖ字状光学屈折構造と第２光出射面との間の深さ
ｃ３  Ａ２領域における各Ｖ字状光学屈折構造と第２光出射面との間の深さ
ｄ１  第２光出射面におけるＢ２領域中での各Ｖ字状光学屈折構造の切削面の幅
ｄ２  第２光出射面におけるＢ２領域中での各Ｖ字状光学屈折構造の切削面の幅
ｄ３  第２光出射面におけるＢ２領域中での各Ｖ字状光学屈折構造の切削面の幅
ｄ４  第２光出射面におけるＢ２領域中での各Ｖ字状光学屈折構造の切削面の幅
ｄ５  第２光出射面におけるＢ２領域中での各Ｖ字状光学屈折構造の切削面の幅
【図１Ａ】
2019040865.tif 000003
【図１Ｂ】
2019040865.tif 000004
【図１Ｃ】
2019040865.tif 000005
【図１Ｄ】
2019040865.tif 000006
【図１Ｅ】
2019040865.tif 000007
【図２Ａ】
2019040865.tif 000008
【図２Ｂ】
2019040865.tif 000009
【図２Ｃ】
2019040865.tif 000010
【図２Ｄ】
2019040865.tif 000011
【図３】
2019040865.tif 000012
【図４】
2019040865.tif 000013
【図５】
2019040865.tif 000014
【図６】
2019040865.tif 000015
【図７Ａ】
2019040865.tif 000016
【図７Ｂ】
2019040865.tif 000017
【外国語明細書】
2019040865000001.pdf
2019040865000002.pdf
2019040865000003.pdf
2019040865000004.pdf